(57)【要約】【課題】  ビル内の監視室などに常駐することなく、広範なエリアから監視を可能とし、また、かご内インターホンと通話できるエレベータモニタリングシステムを提供する。【解決手段】  インターネットなどの公衆回線９を用いてビル１３のエレベータかご１内の監視カメラ２や乗り場の監視カメラ４〜７の映像を、エレベータ監視情報管理センタ１０へ送信する。監視者１１が、携帯電話１２から、監視者１１と監視対象を特定する情報をセンタ１０へ送信すると、センタ１０では、各監視カメラの映像を携帯電話１２へ送信し、そのディスプレイ１４に表示する。また、かご内インターホン３からの呼出しに対しては、優先して携帯電話１２と通話できるように接続し、非常時の連絡にも速やかに対応する。【選択図】  図１
2005206309.tif 000002
【特許請求の範囲】
【請求項１】
エレベータかご内に設置された監視カメラ及び／又は各階のエレベータ乗り場に設置された監視カメラと、これら監視カメラの映像データをエレベータ監視情報管理センタへ送信する情報制御手段と、前記エレベータ監視情報管理センタ内に設けられ、携帯電話からの監視者情報と監視対象情報を含むアクセスを受信したとき、前記情報制御手段から受信した該当する監視対象の前記映像データを、公衆回線を介して、該当する監視者の携帯電話へ送信する送信手段を備えたことを特徴とするエレベータモニタリングシステム。
【請求項２】
請求項１において、前記送信手段は、前記情報制御手段から受信中のリアルタイムの映像データを送信するように構成したことを特徴とするエレベータモニタリングシステム。
【請求項３】
請求項１又は２において、エレベータかご内に配置されたインターホンと、ビル内に設置され、前記インターホンからの呼び出しを検知し、公衆回線を介して前記エレベータ監視情報管理センタへ送信する前記情報制御手段と、前記エレベータ監視情報管理センタ内に設けられ、前記情報制御手段から受信した前記インターホンからの呼び出しに応動して、このインターホンを、予め登録された特定の監視者の携帯電話へ、公衆回線を介して通話状態に接続する手段を備えたことを特徴とするエレベータモニタリングシステム。
【請求項４】
請求項３において、前記エレベータ監視情報管理センタは、前記映像データを監視者の携帯電話へ送信中に、この監視者の監視領域内の前記インターホンからの呼び出しを受信したとき、前記映像データの送信を中止し、前記インターホンを、当該監視者の携帯電話へ通話状態に接続する手段を備えたことを特徴とするエレベータモニタリングシステム。
【請求項５】
請求項４において、前記インターホンと前記携帯電話との前記通話の終了後に、前記映像データの前記携帯電話への送信を再開する手段を備えたことを特徴とするエレベータモニタリングシステム。
【請求項６】
請求項１〜５のいずれかにおいて、エレベータ監視情報管理センタは、前記携帯電話からの監視対象の切り替え指令を受信する手段と、この切り替え指令に応じて送信する映像データを切り替える手段を備えたことを特徴とするエレベータモニタリングシステム。
【請求項７】
請求項１〜６のいずれかにおいて、前記エレベータ監視情報管理センタは、公衆回線を介して、前記情報制御手段からの前記映像データを受信することを特徴とするエレベータモニタリングシステム。
【請求項８】
エレベータかご１内に設置された監視カメラ及びインターホンと、各階のエレベータ乗り場に設置された監視カメラと、前記インターホンからの呼び出しを検知し、公衆回線を介してエレベータ監視情報管理センタへ送信する情報制御手段と、前記エレベータ監視情報管理センタ内に設けられ、前記情報制御手段から受信した前記インターホンからの呼び出しに応動して、このインターホンを、予め登録された特定の監視者の携帯電話へ、公衆回線を介して通話状態に接続する手段と、前記監視カメラの映像データを前記エレベータ監視情報管理センタへ送信する手段と、前記エレベータ監視情報管理センタ内に設けられ、携帯電話からの監視者情報と監視対象情報を含むアクセスを受信したとき、該当する監視対象の前記映像データを、公衆回線を介して、該当する監視者の携帯電話へ送信する手段と、前記エレベータ監視情報管理センタにおいて前記携帯電話からの監視対象の切り替え指令を受信する手段と、この切り替え指令に応じて前記携帯電話へ送信する映像データを切り替える手段を備えたことを特徴とするエレベータモニタリングシステム。
【発明の詳細な説明】
【技術分野】
【０００１】
本発明は、エレベータの防犯に好適なモニタリングシステムの改良に関する。
【背景技術】
【０００２】
セキュリティ向上を目的として、エレベータのかご内や乗り場に監視カメラを設置する場合、これらの映像は建物内に設置した集中管理室などのモニタに表示して警備員などが監視している。監視システムに関しては、特許文献１及び特許文献２に記載のように、かご内及び乗り場などにモニタを設置し、一般乗客にモニタ映像を開示することでかご内や乗り場の監視機能を向上するシステムが提案されている。
【０００３】
【特許文献１】特開平１０−２４３３７８号公報（全体）
【０００４】
【特許文献２】特開平８−７３１４６号公報（全体）
【発明の開示】
【発明が解決しようとする課題】
【０００５】
上記の監視システムにおいては、モニタの設置場所が限定されてしまい、監視カメラの映像を確認するには、監視を行う警備員などがモニタ設置場所に常駐しなければならないという問題がある。
【課題を解決するための手段】
【０００６】
本発明においては、エレベータかご内及び各階乗り場に設置された監視カメラの映像データをエレベータ監視情報管理センタへ送信し、このエレベータ監視情報管理センタでは、携帯電話からの監視者情報と監視対象情報を含むアクセスを受けたとき、該当する監視対象の映像データを、公衆回線を介して、該当する携帯電話へ送信するように構成する。
【０００７】
また、本発明の望ましい実施形態においては、エレベータかご内に設置されたインターホンと携帯電話との間を双方向通信とし、監視者の携帯電話とエレベータかご内インターホンとの間を電話接続するように構成する。
【０００８】
さらに、本発明の望ましい実施形態においては、エレベータ監視情報管理センタにおいて、携帯電話からの、監視映像データの切り替え指令を受信して、指令された映像データの切り替え携帯電話へ送信するように構成する。
【発明の効果】
【０００９】
本発明によれば、１）携帯電話からのモニタを可能とすることにより、警備員などの行動の制約を少なくし、広範なエリアから、エレベータかご内及び乗り場の様子を監視することができる。
【００１０】
また、本発明の望ましい実施形態においては、２）かご内インターホンとの通話が可能で、かご内乗客からの救援要請に対して速やかに対応できる。
【００１１】
さらに、本発明の望ましい実施形態においては、３）携帯電話からの監視映像切り替え機能により、監視を必要とする複数台のエレベータや乗り場等のモニタリングが可能となる。
【発明を実施するための最良の形態】
【００１２】
以下、図面を参照して本発明の一実施形態を説明する。
【００１３】
図１は、本発明の一実施形態によるエレベータモニタリングシステムの概略図である。ここでは、説明を簡略にするため、エレベータ駆動機構については説明を省略する。図において、エレベータの乗りかご１は、図示しない駆動機構により、建造物内の各階間を昇降移動する。かご１内には、かご内の乗客の様子を撮像する監視カメラ２と、緊急連絡用として外部を呼び出すインターホン３が設置されている。一方、各階のエレベータ乗り場には、監視カメラ４〜７が設置され、各階乗り場の様子を撮像している。これらの監視カメラ２及び４〜７による映像と、インターホン３の音声を、ビル内情報制御部８内のアナログ／ディジタル（Ａ／Ｄ）変換部８１でディジタルデータへ変換し、公衆回線９１を介してエレベータ監視情報管理センタ１０へ送信する。監視者１１は、常時、携帯電話１２を携帯し、この携帯電話１２を用いて以下のようにして、いつでも、どこからでも監視を行うことができる。
【００１４】
まず、監視対象とするビル１３やエレベータの情報、監視ツールとしての携帯電話１２の電話番号や暗証番号などの認証用の特定の情報を、管理センタ１０に事前に登録しておく。複数台のエレベータを監視する必要がある施設では、各カメラ映像及びインターホン音声をＡ／Ｄ変換部８１で処理する段階で、ビル１３やエレベータの番号など、各機器の特定及び設置場所に関する特定情報を組込んで置く。特定情報を組込むことで、複数台の監視カメラ２，４〜７の映像及びインターホン３の音声データを１つの公衆回線９１でエレベータ監視情報管理センタ１０へ送信することができる。これにより、監視者１１が受け持つ監視エリア内のビルやエレベータ及びその他のビル設備等が、管理センタ１０内のデータベースに登録され、監視者１１の要求に沿って、対応する映像データを、送受信部１０１から携帯電話１２へ送信する。このように構成することにより、次のようにして、手許の携帯電話１２でのモニタが可能となる。
【００１５】
監視者１１が監視を始める場合は、登録済みの携帯電話１２から、管理センタ１０へアクセスし、暗証番号及びモニタしたい対象設備のコード番号などの認証データを入力し送信する。管理センタ１０では、登録された携帯電話１２からの暗証番号を認証確認し、一致すると、ビル内情報制御部８に対して、要求された監視対象の映像データを送信するよう指令する。ビル内情報制御部８は、この指令に応じた監視カメラ２，４〜７等からの映像データを、Ａ／Ｄ変換部８１でディジタルデータに変換後、公衆回線９１を通して、管理センタ１０へ送信する。エレベータ監視情報管理センタ１０では、送られてきたこれらの監視カメラ２，４〜７からの映像を携帯電話１２へ転送する。このデータを携帯電話１２のディスプレイ１４に表示することによって、エレベータを含むビル内設備等のモニタリングを行うことができる。
【００１６】
監視者１１が、複数のエレベータや設備を監視したい場合には、予定の取り決めに基き手許の携帯電話のプッシュボタンにより映像データの切り替えを要求することができる。管理センタ１０では、この切り替えを要求に応じて転送する映像データを切り替える。この結果、監視者１１の携帯電話１２のディスプレイ１４で表示される画面が、所望の映像に切り替わる。
【００１７】
このようにして、監視者１１は、自身が受け持つ監視エリアのエレベータを含むビル内設備について、携帯電話が使用できるエリアであれば、どこからでも、モニタが可能であり、行動の制約は極めて少なくなる。
【００１８】
このとき、インターホン３からの呼び出しがあれば、緊急性が高いとみなし、映像データの送信を中断して、インターホン３と携帯電話１２との間を電話接続する。これにより、かご１内の乗客は、監視者１１との通話が可能となる。
【００１９】
図２は、本発明の一実施形態によるビル１３内の情報制御部８の処理フロー図である。この処理２００は、約４０ｍｓに１度の頻度で繰り返される。まず、ステップ２０１では、エレベータ監視情報管理センタ１０からデータの送信要求が無いかを判断する。送信要求が有れば、ステップ２０２と２０４において、ビル１３内に設置されたｎ個の監視センサ（この例では、監視カメラ２，４〜７等）に関するループ処理を実行する。ループ内のステップ２０３では、対象とするｉ番目のセンサの監視対象範囲内の映像データを取り込む。ステップ２０５では、Ａ／Ｄ変換部８１により、アナログの監視データについては、ディジタル信号に変換する。ステップ２０６では、これらの監視データを、エレベータ監視情報管理センタ１０へ送信する。ステップ２０７では、管理センタ１０からの送信停止指令の有無をチェックし、停止指令を確認して今回の処理を終了する。
【００２０】
図３は、本発明の一実施形態によるエレベータ監視情報管理センタ１０の処理フロー図である。この処理３００も、約４０ｍｓに１度の頻度で繰り返される。まず、ステップ３０１では、受け持ち範囲内のエレベータかご１内のインターホン３からの呼び出しの有無をチェックする。インターホン３からの呼び出しがあれば、ステップ３０２で予め登録されている監視者（保守員）１１の携帯電話１２へ自動ダイヤルし、かご１内のインターホン３と携帯電話１２を接続する。これにより、例えば、エレベータかご１内から外部を呼び出した乗客は、即座に監視者（保守員）１１と話ができる。
【００２１】
ステップ３０３で通話終了を検知すれば、ステップ３０４で携帯電話（１２等）からのアクセスの有無を調べ、あった場合にはステップ３０５に進んで、監視者（１１等）及び監視対象の認証照合を行う。不一致の場合には、ステップ３０６で認証不適合である旨を携帯電話１２等に送信する。認証照合がＯＫとなれば、ステップ３０７にて情報制御部８に対し、要求された監視対象の映像データの送信を指令する。ステップ３０８では、監視対象の映像データを含む監視データを、要求された携帯電話１２へ転送する。これにより、監視対象の映像データを、監視者１１の携帯電話１２のディスプレイ１４に表示することができ、エレベータを含むビル内設備のモニタリングを行うことができる。
【００２２】
ステップ３０９では、携帯電話１２等から、監視対象を切り替える要求が無いかチェックし、切り替え要求が有ればステップ３１０にて、要求通りの監視対象の映像データに切り替える。したがって、監視者１１は、携帯電話１２のディスプレイ１４上で、監視したい映像を切り替えながら、モニタリングが可能となる。
【００２３】
エレベータかご１内のインターホン３からの呼び出しに対しては、速やかに応答しなければならない。そこで、監視者１１による映像データでのモニタリング中、ステップ３１１〜３１３では、前述したステップ３０１〜３０３と同じく、インターホン３からの呼び出しの有無を確認し、インターホン３と携帯電話１２との間を電話接続する。したがって、監視者１１による映像データでのモニタリングを一時中断して、監視者１１はかご内乗客と通話し、問合せに対するサゼッション等を行うことができる。
【００２４】
この通話が終了すれば、ステップ３１４で携帯電話１２からの監視の終了の指示が無いか確認し、有れば、情報制御部８へ送信停止支持を行い、監視処理を終了する。
【００２５】
この実施携帯を要約すると、次の通りである。まず、エレベータかご１内には、監視カメラ２及びインターホン３が設置され、各階のエレベータ乗り場には監視カメラ４〜７が設置されている。情報制御手段８は、インターホン３からの呼び出しを検知し、公衆回線９１を介してエレベータ監視情報管理センタ１０へ送信する。エレベータ監視情報管理センタ１０では、情報制御手段８から受信したインターホン３からの呼び出しに応動して、このインターホン３を、予め登録された特定の監視者１１の携帯電話１２へ、公衆回線９２を介して通話状態に接続する。このインターホン３からの呼び出しに対する対応は、以下のモニタリングの最中でも、優先的に実行される。
【００２６】
情報制御手段８は、他方、監視カメラ２，４〜７の映像データを管理センタ１０へ送信する。管理センタ１０には、携帯電話１２からの監視者情報と監視対象情報を含むアクセスを受信したとき、該当する監視対象の映像データを、公衆回線９２を介して、該当する監視者１１の携帯電話１２へ送信する手段１０１を備えている。管理センタ１０においては、携帯電話１２からの監視対象の切り替え指令を受信すると、この切り替え指令に応じて携帯電話へ送信する映像データを切り替える。
【００２７】
本実施形態による監視カメラ２，４〜７の映像を携帯電話１２へ供給する方法に関しては、次のような変更が可能である。
【００２８】
エレベータ監視情報管理センタ１０から、監視領域内の多数の監視カメラの映像やインターホンの音声データを、一括して１つの公衆回線で、この領域を監視する監視者１１の携帯電話１２に送信できる。この場合、携帯電話１２に、特定情報処理機能を持たせておくことで、複数台の監視カメラ映像を手許で切り替えて、あるいは画面分割で集中的にモニタリングでき、また、インターホンとの通話が可能となる。
【００２９】
また、一般に、携帯電話１２からインターネットやサーバアドレスをアクセスできるので、監視カメラの映像を公衆回線を用いてインターネット上の特定サーバに送信することで、携帯電話１２から映像を取得することも可能である。
【００３０】
携帯電話は一般的に生活必需品となり、建物内でも電波を受信できる範囲が拡大している。また、公衆回線電波が届かない建物であっても、専用機器を設置しＰＨＳなどの無線機能を利用すれば受信可能となるなど、上記映像の受信可能範囲の拡大は容易である。
【００３１】
さらに、前述した本発明の一実施形態によるエレベータのモニタリングシステムについて、次のような変形が可能である。まず、監視カメラ２，４〜７とインターホン３は、伝送線を介してＡ／Ｄ変換部８１に映像・音声を供給しているが、各機器に送信器を取付け、有線伝送から無線伝送に変更しても良い。また、監視者１１の移動範囲がビル１３内及びその付近に限定される場合には、エレベータ監視情報管理センタ１０と同様の機能を有する機器をビル１３内に配置し、公衆回線９１や管理センタ１０を介さず、携帯電話１２と直接無線伝送しても良い。さらに、データをセキュリティ会社などに送信することで、警備員などが不在となる場合のみ監視を依頼することも可能である。
【００３２】
このように、本発明の実施形態によれば、携帯電話１２を監視モニタとするため、警備員などの監視者１１の行動の制約が少なく、広範なエリアからエレベータかご内及び乗り場の様子を監視することができる。また、かご内インターホンとの通話も可能であり、緊急性の高いインターホンからの呼び出しに対して速やかに応答することができる。
【図面の簡単な説明】
【００３３】
【図１】本発明の一実施例によるエレベータモニタリングシステムの概要構成図。
【図２】本発明の一実施例によるビル内の情報制御部の処理フロー図。
【図３】本発明の一実施例によるエレベータ監視情報管理センタの処理フロー図。
【符号の説明】
【００３４】
１…エレベータの乗りかご、２…かご内の監視カメラ、３…かご内インターホン、４〜７…各階乗り場の監視カメラ、８…ビル内の情報制御部、８１…アナログ／ディジタル（Ａ／Ｄ）変換部、９１，９２…公衆回線、１０…エレベータ監視情報管理センタ、１０１…送受信部、１１…監視者（保守員）、１２…携帯電話、１３…ビル、１４…携帯電話のディスプレイ。
【図１】
2005206309.tif 000003
【図２】
2005206309.tif 000004
【図３】
2005206309.tif 000005